(57)【要約】【課題】  一枚の鋼板から形成される留め付け金具であって、外壁板を安定して支持することができ、かつ外壁板と躯体との間の通気を確保することのできる留め付け金具、ならびに該留め付け金具を用いた外壁板施工構造を提供する。【解決手段】  留め付け金具１０の左右の側部には、留め付け時に外壁板裏面に当接される左側支持部１２Ｌおよび右側支持部１２Ｒが設けられており、該左側および右側支持部１２Ｌ，１２Ｒに挟まれた中間領域には、上方から下方にかけて、躯体側への固定部となる基板部１１と、留め付け時に外壁板裏面に当接される中央支持部１２Ｃと、留め付け時に外壁板の上下端に係止される係止部２１と、留め付け時に外壁板裏面に当接される下側支持部１２Ｕと、が設けられている。【選択図】  図１
2005133504.tif 000002
【特許請求の範囲】
【請求項１】
外壁板用の留め付け金具であって、その左右の側部には、留め付け時に外壁板裏面に当接される左側支持部および右側支持部が設けられており、該左側および右側支持部に挟まれた中間領域には、上方から下方にかけて、
躯体側への固定部となる基板部と、
留め付け時に外壁板裏面に当接される中央支持部と、
該中央支持部の下端から延出し、留め付け時に外壁板の上下端に係止される係止部と、
留め付け時に外壁板裏面に当接される下側支持部と、が設けられており、
該留め付け金具は１枚の鋼板から形成されていて、鋼板の上方領域の一部を裏面側に陥没させられた状態とすることにより前記基板部が形成されており、また、鋼板の下方領域の一部を表面側に切り起こされた状態とすることにより前記係止部が形成されていることを特徴とする留め付け金具。
【請求項２】
前記係止部は、その先端部に、少なくとも１つの立ち上がり部と少なくとも１つの立ち下がり部とを備えることを特徴とする請求項１に記載の留め付け金具。
【請求項３】
前記係止部の立ち下がり部の左右両側の下端近傍が留め付け金具の裏面側へ折曲しており、該折曲部は留め付け時に外壁板に圧接するようになっていることを特徴とする請求項２に記載の留め付け金具。
【請求項４】
前記左側、右側および下側支持部のうち少なくとも１つの支持部は、その外側縁部からさらに外側に延出する鍔部を備えており、該鍔部は前記基板部と同一平面上に位置することを特徴とする請求項１から３のいずれかに記載の留め付け金具。
【請求項５】
前記基板部の上側縁には、前記左側および右側支持部の付近に切り込みが設けられていることを特徴とする請求項１から４のいずれかに記載の留め付け金具。
【請求項６】
請求項１から５のいずれかに記載の留め付け金具が前記基板部を躯体側の固定面に当接して多段に取り付けてあり、少なくとも上端縁と下端縁に実部を有する外壁板が、その裏面を留め付け金具の前記左側、右側、中央、下側の各支持部に当接し、上端縁の実部を上位に位置する留め付け金具の前記係止部に係止し、下端縁の実部を下位に位置する留め付け金具の前記係止部に係止した状態で、多段に留め付けられていることを特徴とする外壁施工構造。
【発明の詳細な説明】
【技術分野】
【０００１】
本発明は、例えば窯業系の外壁板を構造躯体に留め付けるときに用いる留め付け金具、およびその留め付け金具を用いた外壁施工構造に関する。
【背景技術】
【０００２】
建物の外壁施工として、図５に示すような少なくとも上端縁と下端縁に実部４４，４２を有する外壁板４０を、留め付け金具を用いて躯体側に留め付け施工することが行われる（例えば、特許文献１：特開２００１−２７０３１号公報参照）。図６は特許文献１に記載される留め付け金具を示している。この留め付け金具５０は、一枚の鋼板を折り曲げ加工して形成されており、留め付け時に上下の建築板の裏面に当接される支持部５１ａ，５１ｂと、支持部５１の中央部分を連続的に折り曲げて形成される係止部５２と、支持部５１ａの上方の基板部５３と、支持部５１ｂ下端の屈曲部５４とからなる。躯体側へ留め付け金具５０を固定するときには、基板部５３と屈曲部５４の先端とが躯体側への固定部となる。
【０００３】
施工時には、上位の外壁板が、その下端縁の実部４２を係止部５２に係止し、かつ裏面を支持部５１ａに当接した状態で留め付けられ、下位の外壁板が、その上端縁の実部４４を係止部５２に係止し、かつ裏面を支持部５１ｂに当接した状態で留め付けられる。また、この留め付け金具５０では、支持部５１ａに躯体側に達する凹孔６１が形成されており、留め付け金具５０の躯体への取り付け状態を安定化している。外壁板を留め付けた状態では、外壁板裏面と構造躯体との間に、基板部５３の面と支持部５１の面との間隔分の空間が形成されるので、通気が確保される。
【０００４】
特許文献２（特開平９−３０２８８９号公報）には、図７に示すように、やはり、一枚の鋼板を折り曲げ加工して形成される留め付け金具７０が示される。この留め付け金具７０は、躯体側への固定部である基板部７１と、基板部７１の左右側端部に基板部より前方に突き出た状態で上下方向に形成される支持部７２，７２と、左右の支持部７２，７２の間に左右方向に形成され先端が前記支持部７２，７２よりも前方に位置する係止部７３とを備える。係止部７３は、基板部７１の下方領域を折り曲げて形成されており、その先端の両側部を上方に折り返した立ち上がり部７５，７５と、該先端の中央部を下方に折り曲げて形成した立ち下がり部７６とを備える。上位の外壁板は、その下端縁の実部４２を係止部７３に係止し、かつ裏面を支持部７２，７２に当接した状態で留め付けられ、下位の外壁板は、その上端縁の実部４４を係止部７３に係止し、かつ裏面を同様に支持部７２，７２に当接した状態で留め付けられる。外壁板を留め付けた状態では、外壁板裏面と構造躯体との間には支持部７２の高さ分の空間が形成されるので、通気が確保される。
【０００５】
【特許文献１】特開２００１−２７０３１号公報
【特許文献２】特開平９−３０２８８９号公報
【発明の開示】
【発明が解決しようとする課題】
【０００６】
図６に示される留め付け金具５０は、鋼板を二重に積層して係止部５２を形成しているため、やや重くかつ使用鋼板量も大きくなって高コストとなっていた。
【０００７】
図７に示す留め付け金具７０では、係止部７３は一枚板構成であり、軽量化と低コスト化が図られる。しかし、係止部７３が、躯体側への固定部である基板部７１から延出する構成とされているため、図６に示した留め付け金具５０のように係止部５２が支持部５１から延出する構成とされているものと比べると、留め付け金具７０では係止部７３の長さが長くなっているため、特に重量のある大型の外壁板を留め付けるような場合には、係止部７３の強度にやや問題があった。
【０００８】
また、留め付け金具７０では、左右の支持部７２，７２のみで外壁板の裏面を支持する構成とされているため、特に左右に隣接する２枚の外壁板の隣接部分を１つの留め付け金具７０で留め付けるような場合には、左右いずれか１つの支持部７２のみで各外壁板の裏面を支持することとなり、留め付け状態の安定性にやや問題があった。
【０００９】
本発明は、上記のような事情に鑑みてなされたものであり、一枚の鋼板から形成される留め付け金具において、少ない鋼板量で製造が可能であり、軽量化と低コスト化が図られると共に、係止部が十分な強度を有し、外壁板を安定して支持することのできる、改良された留め付け金具を提供することを目的とする。また、本発明の他の目的は、前記の留め付け金具を用いた安定性の高い外壁板施工構造を提供することを目的とする。
【課題を解決するための手段】
【００１０】
本発明による留め付け金具は、外壁板用の留め付け金具であって、その左右の側部には、留め付け時に外壁板裏面に当接される左側支持部および右側支持部が設けられており、該左側および右側支持部に挟まれた中間領域には、上方から下方にかけて、躯体側への固定部となる基板部と、留め付け時に外壁板裏面に当接される中央支持部と、該中央支持部の下端から延出し、留め付け時に外壁板の上下端に係止される係止部と、留め付け時に外壁板裏面に当接される下側支持部と、が設けられており、該留め付け金具は１枚の鋼板から形成されていて、鋼板の上方領域の一部を裏面側に陥没させられた状態とすることにより前記基板部が形成されており、また、鋼板の下方領域の一部を表面側に切り起こされた状態とすることにより前記係止部が形成されていることを特徴とする。
【００１１】
上記の留め付け金具では、係止部が、金具の材料となる鋼板の一部を切り欠き、それを利用して構成されるので、すべて一枚板構成とすることができ、図６に示した従来の留め付け金具５０に比べて軽量化と低コスト化が図られる。そして、係止部が支持部から延出する構成とされているので、図７に示した従来の留め付け金具７０のように係止部７３が基板部７１から延出している場合に比べ、係止部の長さは短くてすみ、そのため、係止部が一枚板で構成されているにも関わらず十分な強度を発揮することができる。
【００１２】
さらに、留め付け金具の左右の側部と、係止部の上下とに設けられた各支持部によって外壁板の裏面を支持するようにしているので、図７に示した従来の留め付け金具７０のように左右２つの支持部のみで外壁板裏面を支持する場合に比べて、外壁板裏面をより確実に支持することができる。特に、２枚の外壁板が左右に隣接する部分において、両方の外壁板の下端を１つの留め付け金具で固定するような場合であっても、それぞれの外壁板を、左右いずれかの支持部と中央支持部との二箇所で支持することができるので、安定した状態で外壁板を留め付けることができる。
【００１３】
好ましくは、前記係止部は、その先端部に、少なくとも１つの立ち上がり部と少なくとも１つの立ち下がり部とを備える。この態様では、係止部を簡単な折り曲げ加工によって形成することができ、かつ外壁板の上下端を確実に係止することができる。
【００１４】
好ましくは、前記係止部の立ち下がり部の左右両側の下端近傍が留め付け金具の裏面側へ折曲しており、該折曲部は留め付け時に外壁板に圧接するようになっている。この態様では、外壁板を支持部に向けて押圧した姿勢に維持できるので留め付け状態が安定する。さらに、折曲部の先端が外壁板表面に食い込むような形状とすることにより、楔効果による固定安定性も確保できる。
【００１５】
好ましくは、前記左側、右側および下側支持部のうち少なくとも１つの支持部は、その外側縁部からさらに外側に延出する鍔部を備えており、該鍔部は前記基板部と同一平面上に位置する。この態様では、基板部に加えて鍔部も躯体側に当接されることにより、留め付け金具の躯体側への固定はより安定したものになる。
【００１６】
好ましくは、前記基板部の上側縁には、前記左側および右側支持部の付近に切り込みが設けられている。この態様では、留め付けた外壁板に大きな風圧（負圧）が作用した場合でも、基板部の上記切り込み付近が一時的に変形して風圧（負圧）を吸収することにより、係止部に係止された外壁板の実部に荷重がかかるのを緩和することができる。それにより、安定性の高い留め付け態様を長期にわたり保持することができる。
【００１７】
本発明は、また、上記の留め付け金具を用いた外壁施工構造として、留め付け金具が前記基板部を躯体側の固定面に当接して多段に取り付けてあり、少なくとも上端縁と下端縁に実部を有する外壁板が、その裏面を留め付け金具の前記左側、右側、中央、下側の各支持部に当接し、上端縁の実部を上位に位置する留め付け金具の前記係止部に係止し、下端縁の実部を下位に位置する留め付け金具の前記係止部に係止した状態で、多段に留め付けられていることを特徴とする外壁施工構造をも開示する。
【００１８】
上記の外壁施工構造では、留め付け金具の軽量化と低コスト化が図られているので、施工コストを低減すると共に、確実な留め付け状態を得ることができる。また、留め付けた外壁板の裏面には通気用の空間が形成されているため、結露などの不都合が生じるのを回避できる。
【発明の効果】
【００１９】
上記のように本発明による留め付け金具は、全体が一枚板で構成されているため軽量であり低コスト品でありながら、係止部および支持部により外壁板を確実に支持することができる。そのために、本発明による外壁施工構造では、外壁板の留め付け状態を長期にわたり安定した状態に保持することができる。
【発明を実施するための最良の形態】
【００２０】
以下、図面を参照しながら、本発明による留め付け金具とそれを用いた外壁施工構造の一実施の形態を説明する。図１は本発明による留め付け金具の一実施の形態を示す斜視図であり、図３はそれを用いた外壁施工構造を示す斜視図である。
【００２１】
図に示される留め付け金具１０は、その左右の側部に、留め付け時に外壁板裏面に当接される左側支持部１２Ｌおよび右側支持部１２Ｒが設けられている。また、左側および右側支持部１２Ｌ，１２Ｒに挟まれた中間領域には、上方から下方にかけて、躯体側への固定部となる基板部１１と、留め付け時に外壁板裏面に当接される中央支持部１２Ｃと、留め付け時に外壁板の上下端に係止される係止部２１と、留め付け時に外壁板裏面に当接される下側支持部１２Ｕと、が設けられている。
【００２２】
留め付け金具１０は、例えばステンレス鋼板や合金メッキ鋼板などの一枚の鋼板からの打ち抜きと、絞り、折り曲げ加工により形成される。図２は留め付け金具１０の材料となる鋼板を示している。この鋼板１００は厚さが１．０ｍｍ程度とされており、このようにやや厚みのある鋼板を使用することにより、留め付け金具１０に設ける補強リブが少数ですむようにしている。なお、鋼板１００の各部分が完成後の留め付け金具１０のどの部分に対応するかを示すため、図１における留め付け金具１０の各部の符号を、図２においてもカッコ付きで示している。
【００２３】
留め付け金具１０の製造方法の一例を以下に説明する。まず、固定用ビス孔３１、釘孔３４、切り込み３６、切り欠きＮが予め形成された鋼板１００（図２参照）を打ち抜く。切り欠きＮは鋼板１００の下方領域１００Ｂにおいて平面視で略Ｕ字形に設けられており、この切り欠きＮによって囲まれる部分が、加工後に留め付け金具１０の係止部２１となる延出部１０２となっている。延出部１０２はその先端に、加工後に係止部２１の立ち上がり部２２または立ち下がり部２３となる３つの突出部１０２ａ，１０２ｂ，１０２ｃを備えている。
【００２４】
次に、図２の二点鎖線に沿って鋼板１００に絞り加工を施すことにより、鋼板１００を部分的に隆起させ、鋼板１００の左右両側に位置する左側支持部１２Ｌおよび右側支持部１２Ｒ、ならびに鋼板１００の下方領域１００Ｂに位置する中央支持部１２Ｃおよび下側支持部１２Ｕを形成する。この結果、鋼板１００の上方領域１００Ａの中央部分１０１には、裏面側に数ｍｍ程度陥没した状態となった基板部１１が、そして、前記左側、右側及び下側の各支持部１２Ｌ，１２Ｒ，１２Ｕの外側縁部には鍔部１３が形成される。また、上記絞り加工の際に、釘孔３４が配置される膨出部３２や補強のためのリブ３５も形成される。
【００２５】
続いて、鋼板１００の下方領域１００Ｂに予め形成されている上記延出部１０２を、その上辺（図２の破線Ｌ１）に沿って表面側に直角に折り曲げ、さらに、延出部１０２先端の左右の突出部１０２ａ，１０２ｃを、図２の破線Ｌ２ａ，Ｌ２ｃに沿って斜め上方に折り曲げて立ち上がり部２２，２２を形成し、また、延出部１０２先端の中央の突出部１０２ｂを、図２の破線Ｌ２ｂに沿って斜め下方に折り曲げて、立ち下がり部２３を形成する。このようにして、係止部２１は、留め付ける外壁板の上下端の実部に沿った形状となるように形成される。さらに、係止部２１の立ち下がり部２３の先端左右両端部を図２の破線Ｌ３，Ｌ３に沿って裏面側に折り曲げることにより、折曲部２３ａ，２３ａを形成する。
【００２６】
以上説明した折り曲げ加工により留め付け金具１０が完成するが、本願発明の留め付け金具は本実施態様に限られるものではなく、例えば鍔部１３や切り込み３６は省略することも可能である。
【００２７】
次に、上記留め付け金具１０を用いた外壁施工構造について説明する。留め付け金具１０を用いて、図５に示したような外壁板４０を留め付けた状態が図３に示される。図４は、図３のＩＶ−ＩＶ線による断面図である。留め付け金具１０は、この例では基板部１１に形成した釘孔３４を利用して、構造躯体１に防水紙Ｐおよび胴縁２を介して釘３によって固定される。その際に、下位に位置する下外壁板４０Ａの上端縁の実部４４に、留め付け金具１０の係止部２１が外嵌合するようにして位置決めをし、その状態で釘孔３４を利用して固定する。釘孔３４は膨出部３２の上斜面３３に形成されており、釘打ち時に下方に向けて留め付け金具１０全体が押し下げられるので、固定状態は安定する。また、立ち下がり部２３の左右両側に形成した折曲部２３ａ，２３ａにより外壁板４０Ａは構造躯体１側に押し付けられるので、外壁板裏面は支持部１２Ｌ，１２Ｒ，１２Ｕに密着した状態となり、楔作用によって外壁板の左右移動が防止されるため、留め付け状態は一層安定する。なお、下外壁板４０Ａの上端縁の実部４４の根元付近には漏水防止のためコーキング材４が予め打設されている。
【００２８】
所要個数の留め付け金具１０を同様にして水平方向に所定間隔で固定した後、上位に位置する上外壁板４０Ｂを、その下端縁の実部４２が留め付け金具１０の係止部２２の部分に内嵌合するようにして、必要枚数横方向に配置する。このようにして配置した上外壁板４０Ｂを下外壁板として、さらに、その上端縁の実部４４に前記と同様にして留め付け金具１０を取り付けた後、打ち付け固定する。以下、必要な段数だけ同じ工程を繰り返すことにより、本発明による外壁施工構造は完成する。
【００２９】
上記の外壁施工構造では、留め付け金具１０の係止部１１および各支持部１２Ｌ，１２Ｒ，１２Ｃ，１２Ｕにより、外壁板４０は安定して支持される。また、外壁板４０の裏面と胴縁２との間には、留め付け金具１０の各支持部１２Ｌ，１２Ｒ，１２Ｃ，１２Ｕにより、その高さ分の空間Ｓが形成されるので、外壁板裏面の通気は良好となり、結露などの不都合が生じることはない。また、本発明による外壁施工構造では、留め付け金具が軽量であるにもかかわらず、金具強度に優れており、留め付け状態を長期にわたり安定した状態に保持することができる。さらに、上記実施態様による留め付け金具１０のように基板部１１に切り込み３６を設けた場合には、外壁板に大きな風圧（負圧）が作用しても、基板部１１の切り込み３６付近が変形するので、係止部２１に係止される外壁板４０の実部にかかる荷重を緩和することができる。
【図面の簡単な説明】
【００３０】
【図１】本発明による留め付け金具の一実施の形態を示す斜視図。
【図２】図１に示す留め付け金具の材料となる鋼板を示す平面図。
【図３】図１に示す留め付け金具を用いて外壁板を構造躯体に留め付けた状態を示す斜視図。
【図４】図３のＩＶ−ＩＶ線による断面図。
【図５】外壁板の一例を示す図。
【図６】従来の留め付け金具の一例を示す図。
【図７】従来の留め付け金具の他の例を示す図。
【符号の説明】
【００３１】
１０…留め付け金具、１１…基板部、１２Ｌ…左側支持部、１２Ｒ…右側支持部、１２Ｃ…中央支持部、１２Ｕ…下側支持部、１３…鍔部、２１…係止部、２２…立ち上がり部、２３…立ち下がり部、４０…外壁板、１００…留め付け金具の材料となる鋼板
【図１】
2005133504.tif 000003
【図２】
2005133504.tif 000004
【図３】
2005133504.tif 000005
【図４】
2005133504.tif 000006
【図５】
2005133504.tif 000007
【図６】
2005133504.tif 000008
【図７】
2005133504.tif 000009